(57)【要約】【課題】  仕入れ数を管理することによって売り上げ目標を円滑に達成させることができることを支援することができる仕入れ管理装置を提供する。【解決手段】  営業部門端末と仕入れ部門端末とに対してネットワークを介して接続される仕入れ管理装置であって、営業部門端末から送信される製品の所定の期間毎の販売見込み数を受信するとともに、仕入れ部門端末から送信される製品の所定の期間毎の在庫数を受信する受信部と、受信部が受信した販売見込み数と在庫数とに基づいて、製品の仕入れ数を算出する仕入れ数算出部とを有する。【選択図】    図１
2005309484.tif 000002
【特許請求の範囲】
【請求項１】
営業部門端末と仕入れ部門端末とに対してネットワークを介して接続される仕入れ管理装置であって、
前記営業部門端末から送信される製品の所定の期間毎の販売見込み数を受信するとともに、前記仕入れ部門端末から送信される製品の所定の期間毎の在庫数を受信する受信部と、
前記受信部が受信した販売見込み数と在庫数とに基づいて、前記製品の仕入れ数を算出する仕入れ数算出部と、
を有することを特徴とする仕入れ管理装置。
【請求項２】
前記仕入れ数算出部は、販売見込み数と在庫数との差分に基づいて仕入れ数を算出することを特徴とする請求項１記載の仕入れ管理装置。
【請求項３】
営業部門端末と仕入れ部門端末とに対してネットワークを介して接続される仕入れ管理装置における仕入れ管理方法であって、
前記営業部門端末から送信される製品の所定の期間毎の販売見込み数を受信するとともに、前記仕入れ部門端末から送信される製品の所定の期間毎の在庫数を受信し、
前記受信部が受信した販売見込み数と在庫数とに基づいて、前記製品の仕入れ数を算出する、
ことを特徴とする仕入れ管理方法。
【請求項４】
営業部門端末と仕入れ部門端末とに対してネットワークを介して接続される仕入れ管理装置におけるプログラムであって、
前記営業部門端末から送信される製品の所定の期間毎の販売見込み数を受信するとともに、前記仕入れ部門端末から送信される製品の所定の期間毎の在庫数を受信するステップと、
前記受信した販売見込み数と在庫数とに基づいて、前記製品の仕入れ数を算出するステップと、
をコンピュータに実行させるプログラム。
【発明の詳細な説明】
【技術分野】
【０００１】
本発明は、売り上げ予測と在庫数とに基づいて仕入れ数の管理を行う仕入れ管理装置、仕入れ管理方法、プログラムに関する。
【背景技術】
【０００２】
従来、営業部門が策定する売り上げ見込みは、金額管理を主として、売り上げ目標が立てられていた。例えば、どの製品をどれだけ販売するか１年間での目標売り上げ金額を「○○億円」と決定されていた。ここでは、必ずしも個々の製品に対する生産手配及び在庫評価金額と直接的に結びついていなかった。すなわち、売り上げ目標として「○○億円」と金額を決めていても、売り上げ目標を達成させるための方法が必ずしも提示されていなかった。
したがって、目標を達成させるためには、営業部門や仕入れ部門のメンバーがそれぞれ達成方法を試行錯誤していた。
【０００３】
このような、売り上げ目標を達成するために、売り上げを予測するシステムも提案されている（特許文献１）。
【特許文献１】特開平５−１８１８３２号公報
【発明の開示】
【発明が解決しようとする課題】
【０００４】
しかしながら、特許文献１に示すシステムにおいては、売り上げそのものを予測することができるが、その売り上げを達成させるためにどのようにすればよいかまでは提案できていない。
【０００５】
本発明は、このような事情に鑑みてなされたもので、その目的は、売り上げ目標を達成させるにあたり、仕入れ数を管理することによって売り上げ目標を円滑に達成させることができることを支援することができる仕入れ管理装置、仕入れ管理方法、プログラムを提供することにある。
【課題を解決するための手段】
【０００６】
上述した課題を解決するために、本発明は、営業部門端末と仕入れ部門端末とに対してネットワークを介して接続される仕入れ管理装置であって、前記営業部門端末から送信される製品の所定の期間毎の販売見込み数を受信するとともに、前記仕入れ部門端末から送信される製品の所定の期間毎の在庫数を受信する受信部と、前記受信部が受信した販売見込み数と在庫数とに基づいて、前記製品の仕入れ数を算出する仕入れ数算出部と、を有することを特徴とする。
【０００７】
また、本発明は、上述の仕入れ管理装置において、前記仕入れ数算出部は、販売見込み数と在庫数との差分に基づいて仕入れ数を算出することを特徴とする。
【０００８】
また、本発明は、営業部門端末と仕入れ部門端末とに対してネットワークを介して接続される仕入れ管理装置における仕入れ管理方法であって、前記営業部門端末から送信される製品の所定の期間毎の販売見込み数を受信するとともに、前記仕入れ部門端末から送信される製品の所定の期間毎の在庫数を受信し、前記受信部が受信した販売見込み数と在庫数とに基づいて、前記製品の仕入れ数を算出することを特徴とする。
【０００９】
また、本発明は、営業部門端末と仕入れ部門端末とに対してネットワークを介して接続される仕入れ管理装置におけるプログラムであって、前記営業部門端末から送信される製品の所定の期間毎の販売見込み数を受信するとともに、前記仕入れ部門端末から送信される製品の所定の期間毎の在庫数を受信するステップと、前記受信した販売見込み数と在庫数とに基づいて、前記製品の仕入れ数を算出するステップと、をコンピュータに実行させることを特徴とする。
【００１０】
以上説明したこの発明によれば、販売見込み数と在庫数とに基づいて、製品の仕入れ数を算出するようにしたので、在庫として仕入れる製品の数を管理することができ、これにより、在庫切れによる販売数の低下を防止し、また、売り上げ目標以上の数の在庫が滞留することによる在庫過剰を防止することができ、売り上げ目標を円滑に達成させることが可能となる。
【発明を実施するための最良の形態】
【００１１】
以下、本発明の一実施形態による仕入れ管理システムを図面を参照して説明する。図１は、この発明の一実施形態による仕入れ管理システム１の構成を示す概略ブロック図である。
この図において、仕入れ管理システム１は、製品の機種毎に販売数の見込み案を策定する営業部門に設けられる営業部門端末２０と、製造元において生産された製品を販売する販売代理店などである仕入れ部門に設けられる仕入れ部門端末４０と、損益見込みの策定を行う採算管理部門に設けられる採算管理部門端末６０とが、ネットワーク７０を介して仕入れ管理装置１０に接続される。
【００１２】
仕入れ管理装置１０は、営業部門端末２０と仕入れ部門端末４０と通信を行う通信部１１と、記憶部１２と、仕入れ数算出部１３と、売り上げ予測金額算出部１４とによって構成される。
通信部１１は、営業部門端末２０から送信される製品の機種毎であって所定の期間毎の販売見込み数を受信するとともに、仕入れ部門端末４０から送信される製品の所定の期間毎の在庫数を受信する機能を有する。
ここで、入力される販売見込み数は、営業部門において策定されたものであり、在庫数は、仕入れ部門において、在庫数をチェックする日を基準にし、各月の予想される在庫数である。この在庫数は、製品の売れ行き具合や前年の在庫数などを参考に入力される。
【００１３】
記憶部１２は、受信部１１が受信した営業部門端末２０から送信された製品の所定の期間毎の販売見込み数と、仕入れ部門端末４０から送信された製品の所定の期間毎の在庫数とについて記憶する。この記憶部１２に記憶される情報の一例について説明する。図２は、販売見込み数についての情報の一例を示す図、図３は、在庫数についての情報の一例を示す図である。
図２、図３において、所定の期間毎として、ここでは、○○年における各月（１月、２月、３月、・・・・１２月）毎にそれぞれの数が記憶される。
【００１４】
仕入れ数算出部１３は、記憶部１２に記憶された販売見込み数と在庫数とに基づいて、製品の仕入れ数を算出する。ここでは、販売見込み数と在庫数との差分に基づいて仕入れ数を算出する。この仕入れ数の算出において、仕入れ数算出部１３は、ある期間の販売見込み数と在庫数との差を算出し、算出した差に対して、次の期間の販売見込み数の一定割合数を加算して、当期の仕入れ数を算出する。ここでは、割合の数については、任意に設定可能である。
【００１５】
売り上げ予測金額算出部１４は、製品の機種毎の単価を記憶しており、この単価と記憶部１２に記憶された販売見込み数とに基づいて、売り上げ予測金額を製品の機種毎に算出する。この算出は、製品の単価と販売見込み数との乗算によって行う。
【００１６】
次に、図１の構成における仕入れ管理システム１の動作について図４のフローチャートを用いて説明する。
まず、営業部門端末２０から、販売見込み数が入力されると、通信部１１は、この販売見込み数を受信して（ステップＳ１）、記憶部１２に記憶する。一方、仕入れ部門端末４０から在庫数が入力されると、通信部１１は、この在庫数を受信して（ステップＳ２）、記憶部１２に記憶する。販売見込み数と在庫数とが記憶部１２に記憶されると、仕入れ数算出部１３は、販売見込み数と在庫数との差分を算出して仕入れ数を算出する（ステップＳ３）。ここでは、販売見込み数と在庫数の差分を算出するにあたり、それぞれ対応する月の製品の数の差分を算出し、月ごとの仕入れ数を算出する。さらに、この仕入れ数に対して、次の期間の販売見込み数の一定割合数を加算して、当期の仕入れ数を算出する。
【００１７】
一方、売り上げ予測金額算出部１４は、機種毎の製品の単価と記憶部１２に記憶された販売見込み数とを乗算し、売り上げ予測金額を製品の機種毎に算出する（ステップＳ４）。仕入れ数と売り上げ予測金額とが算出されると、通信部１１は、仕入れ数と売り上げ予測金額とについて、仕入れ部門端末４０に送信し、売り上げ予測金額について、採算管理部門端末６０に送信する（ステップＳ５）。
【００１８】
仕入れ部門端末４０は、仕入れ管理装置１０から送信された、仕入れ数および売り上げ予測金額とをＣＲＴ（Ｃａｔｈｏｄｅ  Ｒａｙ  Ｔｕｂｅ）や液晶表示装置などの表示装置に出力する。これにより、仕入れ部門のメンバーは、表示装置に表示された仕入れ数と売り上げ予測金額とを参考にし、今後の仕入れ数をどのようにするか策定することができる。
【００１９】
採算管理部門端末６０は、仕入れ管理装置１０から送信された、売り上げ予測金額の算出結果をＣＲＴや液晶表示装置などの表示装置に出力する。これにより、採算管理部門のメンバーは、表示装置に表示された売り上げ予測金額と、採算管理部門端末６０内において管理されている別データとしての経費データと勘案して、損益見込み策定をすることができる。
【００２０】
なお、以上説明した実施形態において、所定の期間として月毎である場合について説明したが、ある日数毎、季節毎であってもよい。
また、上述した実施形態において、仕入れ部門端末４０から、在庫数の見直しがなされた後の在庫数が入力された場合、その見直し後の在庫数に基づいて、仕入れ数算出部１３が再度仕入れ数を算出するようにしてもよい。これにより、リアルタイムに仕入れ数を見直しすることができ、その時の在庫数の変動に対応した仕入れ数を算出することができる。
【００２１】
また、以上説明した実施形態において、売り上げ予測金額算出部１４は、採算管理部門端末６０から経費データを取得し、取得した経費データと売り上げ予測金額とに基づいて、損益見込みに関するデータを算出し、採算管理部門端末６０に送信するようにしてもよい。
【００２２】
また、以上説明した実施形態によれば、売り上げ目標を達成させるための達成方法の一つとして、在庫切れによる販売数が低下してしまうことに着目し、この在庫切れを解消することができるので、製品の販売を円滑に行うことができ、これにより、売り上げ目標の達成に寄与することが可能となる。
【００２３】
また、図１における通信部１１、仕入れ数算出部１３の機能を実現するためのプログラムをコンピュータ読み取り可能な記録媒体に記録して、この記録媒体に記録されたプログラムをコンピュータシステムに読み込ませ、実行することにより仕入れ管理を行ってもよい。なお、ここでいう「コンピュータシステム」とは、ＯＳや周辺機器等のハードウェアを含むものとする。
【００２４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００２５】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００２６】
【図１】この発明の一実施形態による仕入れ管理システム１の構成を示す概略ブロック図である。
【図２】販売見込み数についての情報の一例を示す図である。
【図３】在庫数についての情報の一例を示す図である。
【図４】図１の構成における仕入れ管理システム１の動作について説明するためのフローチャートである。
【符号の説明】
【００２７】
１  仕入れ管理システム                １０  仕入れ管理装置
１１  通信部                          １２  記憶部
１３  仕入れ数算出部                  １４  売り上げ予測金額算出部
２０  営業部門端末                    ４０  仕入れ部門端末
６０  採算管理部門端末
【図１】
2005309484.tif 000003
【図２】
2005309484.tif 000004
【図３】
2005309484.tif 000005
【図４】
2005309484.tif 000006